(57)【要約】【課題】  患者の取り扱いによってコードにねじれを生じさせないようにしつつ、操作ユニットの操作ボタンとコードとを接点を使用せずに電気的に確実に接続できるようにする。【解決手段】  操作ボタン２を収容した操作ユニット３を筐体１の操作ユニット設置面７に配置し、コード４を外部へ露出するためのコード露出部５を筐体１のコード露出部設置面８に配置して、操作ユニット設置面７とコード露出部設置面８とを同じ軸上に配置するとともに、その軸を回転軸として筐体１の周りを回転するカバー部６を筐体１を囲むように取り付ける。これにより、操作ユニット設置面７およびコード露出部設置面８が同一の回転軸上に配置され、その回転軸を中心として筐体１の周りを筐体と独立して回転するカバー部６が取り付けられているので、カバー部６のみが回転するようになり、操作ユニット３およびコード露出部５が回転しなくなる。【選択図】        図１
2011156098.tif 000002
【特許請求の範囲】
【請求項１】
患者が医療従事者を呼び出すために操作する操作ボタンを収容した操作ユニットと、
前記操作ボタンの操作により生成される呼出信号を伝達するためのコードを外部へ露出するためのコード露出部と、
前記操作ユニットと前記コード露出部とを同じ軸上に配置する筐体と、
前記筐体を囲むように取り付けられ、前記軸を回転軸として前記筐体の周りを回転可能なカバー部と、
を備えることを特徴とするナースコール子機。
【発明の詳細な説明】
【技術分野】
【０００１】
本発明は、病院などで患者からの要求に応じて医師や看護師などの医療従事者を呼び出すために患者が使用するナースコール子機に関する。
【背景技術】
【０００２】
従来、病院などでは、ナースコールシステムが用いられている。ナースコールシステムは、病室内の患者の近辺（例えば、ベッド近傍など）に設置されたナースコール子機および医療従事者の居る部屋（例えば、スタッフルームなど）に設置されたナースコール親機を有線などにより接続して構成されている。また、ナースコール子機およびナースコール親機は、廊下灯や制御機などを介して接続されている。さらに、医療従事者が携行している携帯通信端末（例えば、ＰＨＳ（Ｐｅｒｓｏｎａｌ  Ｈａｎｄｙｐｈｏｎｅ  Ｓｙｓｔｅｍ）やコードレス電話など）は、無線を介してナースコール親機に接続されている。そして、患者によりナースコール子機が操作されると、ナースコール親機や携帯通信端末は、自装置に設けられた報知部を動作させて、スピーカから呼び出し音を出力させたり、表示ディスプレイなどに呼び出し表示を行わせたりして、呼び出しを報知している。医療従事者は、呼び出し音を聞いたり、呼び出し表示を見たりして、患者からの呼び出しを把握する。
【０００３】
また、ナースコール子機は、ベッドサイドの壁面に設置されているウォールユニットに接続されている。また、ナースコール子機は、患者が操作するための操作ボタンを備えた操作ユニットと、操作ユニットおよびウォールユニットを接続するためのコードとを備えて構成されている。コードは、操作ボタンの操作をウォールユニットへ伝達しており、患者がベッド上の様々な場所で操作ユニットを操作することができるようにある程度の長さを有している。
【０００４】
ところで、ベッド上に居る患者が操作ユニットを操作する場合、患者は、自身の近辺に置かれている操作ユニットを手に取って操作していた。このとき、患者が操作ユニットを手に取ったり、送信ユニットを置いたりすることで操作ユニットの向きが変わることがあった。また、患者が操作ユニットを持ったまま寝返りを打つことで操作ユニットの向きが変わることがあった。このように操作ユニットの向きが変わると、操作ユニットから伸びているコードが操作ユニットの向きの変化に合わせて回転し、一方向に過度に回転すると、コードにねじれが生じてしまうという問題があった。また、コードのねじれ具合によっては、コード内部の伝送線が断線して、コードが操作ボタンの操作をウォールユニットへ伝達することができなくなってしまうという問題があった。
【０００５】
このような、回転によるねじれを防ぐ技術として、電気掃除機の吸い込み口を備えたヘッドと本体の吸気口とを接続するホースの構造が知られている。このホースは蛇腹状の形状をしており、一端に本体の吸気口を接続しており、他端に電気掃除機を使用する際に把持される把手パイプを接続している。また、把手パイプにヘッドが接続されており、ヘッドの吸い込み口から吸引したゴミなどを把手パイプを介して本体へ吸い込ませることができる。このような電気掃除機では、把手パイプとホースとが回転可能に接続されており、把手パイプが回転しても把手パイプが回転するだけでホースが回転せず、ホースにねじれが生じなかった。しかしながら、電気掃除機の操作を行うための操作部を把手パイプに設けた場合、操作部と本体とを電気的に接続するためのコードをホースの内部に通したり、ホースとは別に本体と接続したりする必要があるため、把手パイプが回転すると、その回転に合わせてコードにねじれが生じてしまうという問題があった。
【０００６】
ところで、操作部を備えた把手パイプが回転してもコードがねじれないようにする技術が知られている（例えば、特許文献１など）。特許文献１に記載の電気掃除機では、一端が掃除機本体の吸気口に接続されており他端が把手パイプに接続されている蛇腹状のホースにコードを巻装し、掃除機本体を制御するための操作部を備えた把手パイプとホースを回転可能に接続し、制御部とホースに巻装されているコードとを接点を介して接続するようにしている。これにより、把手パイプが回転しても、把手パイプの操作部とホースに巻装されているコードとが接点を介して接続されているので、コードにねじれが生じることがなくなる。
【０００７】
このような、特許文献１に記載の技術をナースコール子機に適用すると、操作ユニットとコードとを回転可能に接続し、操作ユニットの操作部とコードとが接点を介して電気的に接続されることになり、コードにねじれが生じることがなくなる。しかしながら、この従来技術では、操作ユニットの操作ボタンとコードとが接点を介して電気的に接続されているため、操作ユニットを何度も回転させると、接点に歪みが生じて電気的に接続されなくなるケースが生じてしまうという問題があった。
【先行技術文献】
【特許文献】
【０００８】
【特許文献１】特開平５−８４１９８号公報
【発明の概要】
【発明が解決しようとする課題】
【０００９】
本発明は、このような問題を解決するために成されたものであり、操作ユニットとコードとから構成されるナースコール子機において、患者の取り扱いによってコードにねじれを生じさせないようにするとともに、操作ユニットの操作ボタンとコードとを接点を使用せずに電気的に確実に接続することができるようにすることを目的とする。
【課題を解決するための手段】
【００１０】
上述した課題を解決するために、本発明のナースコール子機では、医療従事者を呼び出すために操作される操作ボタンを収容した操作ユニットを筐体の操作ユニット設置面に配置し、操作ボタンの操作により生成させる呼出信号を伝達するためのコードを外部へ露出するためのコード露出部を、筐体のコード露出部設置面に配置して、操作ユニット設置面とコード露出部設置面とを同じ軸上に配置するとともに、その軸を回転軸として筐体の周りを回転するカバー部を筐体を囲むように取り付けるようにしている。
【発明の効果】
【００１１】
上記のように構成した本発明よれば、操作ユニット設置面およびコード露出部設置面が同一の回転軸上に配置され、その回転軸を中心として筐体の周りを筐体と独立して回転するカバー部が取り付けられているので、患者の取り扱いによってカバー部のみが回転するようになり、操作ユニットおよびコード露出部が回転しなくなる。これにより、操作ユニットの操作ボタンとコードとを電気的に接続するための接点を使用せずに、操作ユニットの操作ボタンとコードとを電気的に確実に接続することができる。
【図面の簡単な説明】
【００１２】
【図１】本実施形態によるナースコール子機の外観例を示す図である。
【図２】変形例によるナースコール子機の外観例を示す図である。
【発明を実施するための形態】
【００１３】
以下、本発明の一実施形態を図面に基づいて説明する。本実施形態によるナースコール子機の構成例を示すブロック図を図１に示す。同図に示すように、本実施形態によるナースコール子機は、筐体１、操作ボタン２、操作ユニット３、コード４、コード露出部５、カバー部６を備えて構成されている。
【００１４】
図１において、ナースコール子機は、病室内の患者の近辺（例えば、ベッド近傍など）に設置されており、患者が操作ボタン２を操作することにより、医療従事者に対して呼び出しを行うための呼出信号を出力する。また、ナースコール子機から出力された呼出信号を入力したナースコール親機（図示せず）は、医療従事者に対して呼び出しを報知する。
【００１５】
筐体１は、操作ユニット３を配置する操作ユニット設置面７とコード露出部５を配置するコード露出部設置面８とを同じ軸上に配置しており、内部にナースコール子機の機能を実現するための回路などを収納している。また、筐体１は、略円筒形状に形成されている。また、筐体１の円筒の外周面には二つの回転溝１Ａが円周に沿って形成されている。ここで、筐体１は、回転溝１Ａを形成することができれば空洞の部分が存在していても良い。
【００１６】
操作ボタン２は、押しボタンなどにより構成されており、患者が呼び出し操作を行うために操作されるものである。操作ユニット３は、操作ボタン２を収容し、筐体１の操作ユニット設置面７に筐体１と一体的に設けられている。ここで、操作ユニット３は、患者が操作ボタン２を操作し易くするために筐体１の円筒の一端に形成されている。
【００１７】
コード４は、ナースコール子機とベッドサイドの壁面に設置されているウォールユニットとの間を電気的に接続するためのものである。また、コード４は、その一端を筐体１内の回路に接続しており、他端をウォールユニットに接続している。そして、コード部４は、筐体１内の回路にて生成された呼出信号をウォールユニットへ伝達している。
【００１８】
コード露出部５は、略半球形状に形成されており、筐体１内の回路に接続されているコード４を筐体１の外部へ露出させるものである。また、コード露出部５には、コード４の直径と略同一の直径であり、コード４を固定するための孔が形成されている。また、コード露出部５は、筐体１のコード露出部設置面８に筐体１と一体的に設けられている。ここで、コード露出部５は、筐体１の円筒の他端に形成されている。
【００１９】
カバー部６は、患者によって把持されるものであり、筐体１の円筒の外周面を囲むように取り付けられている。また、カバー部６は、筐体１に取り付けることができるように、複数に分割されたものを組み合わせて構成されている。また、カバー部６の内側には、筐体１にカバー部６を取り付けた場合に筐体１の回転溝１Ａに対応する位置に二つの突起部６Ａが形成されている。
【００２０】
筐体１にカバー部６を取り付けると、筐体１の外周面がカバー部６により囲まれた状態になる。また、カバー部６に形成された突起部６Ａは、筐体１に形成された回転溝１Ａに嵌った状態になる。この状態で、カバー部６は、筐体１に対して回転軸を中心に図中の矢印の方向に回転可能となる。そのため、カバー部６が回転しても、回転により生じた力が筐体１に伝達されないため、筐体１に設置されている操作ボタン２およびコード露出部５も回転しない。
【００２１】
以上、詳しく説明したように、本実施形態のナースコール子機では、筐体１は略円筒形状に形成されており、医療従事者を呼び出すために操作される操作ボタン２を収容した操作ユニット３を配置する操作ユニット設置面７と操作ボタン２の操作により生成される呼出信号を伝達するためのコード４を外部へ露出するためのコード露出部５を配置するコード露出部設置面８とを同じ軸上に配置している。そして、その軸を回転軸として筐体１の周りを回転するカバー部６を筐体１を囲むように取り付けている。これにより、操作ユニット設置面７およびコード露出部設置面８が同一の回転軸上に配置され、その回転軸を中心として筐体１の周りを筐体１と独立して回転するカバー部６が取り付けられているので、患者の取り扱いによってカバー部６のみが回転するようになり、操作ユニット３およびコード露出部５が回転しなくなる。このことから、操作ユニット３の操作ボタン２とコード４とを電気的に接続するための接点を使用せずに、操作ユニット３の操作ボタン２とコード４とを電気的に確実に接続することができる。
【００２２】
なお、前述した実施形態では、筐体１は、略円筒形状に形成されているが、これに限定されない。例えば、筐体１が略球状形状に形成されるようにしても良い。
【００２３】
また、前述した実施形態では、カバー部６が筐体１と同様に略円筒形状に形成されているが、これに限定されない。例えば、カバー部６を直方体やその他の様々な形状としても良い。カバー部６の形状をこれらのようにした場合、カバー部６の内側が筐体１の周りを回転できるような形状であれば良いことはもちろんである。
【００２４】
また、前述した実施形態では、操作ボタン２およびコード露出部５は、筐体１に対して回転軸上に設けられているが、これに限定されない。例えば、操作ボタン２およびコード露出部５が筐体１に対して回転軸上に位置しないようにしても良い。
【００２５】
具体的には、図２に示すように、操作ユニット３に収容されている操作ボタン２’は、回転軸上に位置していない（換言すると、図２中の回転軸の右側の位置）。また、コード露出部５’は、回転軸上に位置していない（換言すると、図２中の回転軸の左側の位置）。このような場合でも、操作ユニット設置面７とコード露出部８とが回転軸上に位置しているので、本実施形態と同様の効果が得られる。
【００２６】
その他、ナースコール子機の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００２７】
１    筐体
１Ａ    回転溝
２    操作ボタン
３    操作ユニット
４    コード
５    コード露出部
６    カバー部
６Ａ    突起部
７    操作ユニット設置面
８    コード露出部設置面
【図１】
2011156098.tif 000003
【図２】
2011156098.tif 000004